(57)【要約】【課題】足指を良好に踏ん張ることができて、良好な姿勢を維持することができる靴下を提供する。【解決手段】本発明の靴下１は、足裏における足指付根に対応する箇所に厚肉部４が設けられている。この構成により、この靴下１を装着した状態で歩行したり走行したりする際に、足指の付根が厚肉部４を介して接地できる。これにより、足指全体が接地できて、足指によって良好に踏ん張ることができる。【選択図】図２
2015212439.tif 000002
【特許請求の範囲】
【請求項１】
足裏における足指付根に対応する箇所に厚肉部が設けられていることを特徴とする靴下。
【請求項２】
当該靴下が５本指靴下であり、この５本指靴下の指袋部の付根に対応して厚肉部が設けられていることを特徴とする請求項１に記載の靴下。
【請求項３】
爪先部が足指全体を覆う形状であることを特徴とする請求項１に記載の靴下。
【請求項４】
爪先部内側に５本の足指を挿入する空間を仕切る４つの隔壁が設けられ、前記空間に挿入される足指の付根に対応して厚肉部が設けられていることを特徴とする請求項３に記載の靴下。
【請求項５】
前記厚肉部が、一体編成で厚みのある生地が編み込まれて形成されていることを特徴とする請求項１〜４の何れか１項に記載の靴下。
【請求項６】
前記厚肉部の厚み方向の中央部は、硬くて低伸縮性の生地で形成され、前記厚肉部の厚み方向の表面部は、柔らかくて前記低伸縮性の生地よりも伸縮性の大きな高伸縮性の生地で形成されていることを特徴とする請求項１〜５の何れか１項に記載の靴下。
【請求項７】
足裏における土踏まずに対応する箇所にも厚肉部が設けられていることを特徴とする請求項１〜６の何れか１項に記載の靴下。
【発明の詳細な説明】
【技術分野】
【０００１】
本発明は靴下に関する。
【背景技術】
【０００２】
従来、靴下は、破れ難くするために爪先部全体や踵部に対応する箇所を厚くしたものや、ずり落ち防止のためにはき口部により伸縮性に優れた素材を編み込んだものが存在するが、一般的には、全体がほぼ同じ厚みとされている。したがって、靴下の足裏において、足指の付根に対応する箇所は、足指の付根、あるいは靴底や接地面に対して隙間を有して宙に浮いた状態となっている。また、例えば、特許文献１等には、破れ難くするために爪先部や踵部に対応する箇所を厚地のパイル構造とした靴下が開示されているが、この種の靴下でも、靴下の足裏における足指の付根に対応する箇所は、足指の付根、あるいは靴底や接地面に対して隙間を有して宙に浮いた状態である。
【０００３】
また、靴下の形状としては足指も含めて足部全体を覆う形状のものが一般的であるが、他の形状のものとして、５本指に対応する箇所が分かれて形成されているいわゆる５本指靴下があり、この種の靴下もすでに実用化されている（例えば、特許文献２等）。
【先行技術文献】
【特許文献】
【０００４】
【特許文献１】特開２００９−２２１６１４号公報
【特許文献２】実開昭６３−１３５９０２号公報
【発明の概要】
【発明が解決しようとする課題】
【０００５】
しかしながら、従来の靴下では、靴下の足裏において、足指の付根に対応する箇所は、足指の付根、あるいは靴底や接地面に対して隙間を有して宙に浮いた状態で装着されているため、歩行時や走行時において、足指全体が接地せずに、足指の踏ん張りがきかず、不十分となることがあった。したがって、場合によっては、姿勢が悪くなって体にかかる負担が大きくなり、腰痛や肩こりなどを生じるおそれもあった。
【０００６】
本発明は上記課題を解決するもので、足指を良好に踏ん張ることができて、良好な姿勢を維持することができる靴下を提供することを目的とするものである。
【課題を解決するための手段】
【０００７】
上記課題を解決するために、本発明の靴下は、足裏における足指付根に対応する箇所に厚肉部が設けられていることを特徴とする。
この構成により、この靴下を装着した状態で歩行したり走行したりする際に、足指の付根が前記厚肉部を介して接地できる。これにより、足指全体が接地できて、足指によって良好に踏ん張ることができる。
【０００８】
また、本発明の靴下は、当該靴下が５本指靴下であり、この５本指靴下の指袋部の付根に対応して厚肉部が設けられていることを特徴とする。
この構成によれば、５本指靴下における指袋部の付根に対応して厚肉部が設けられるため、厚肉部が足指の付根からずれることを防止しながら、各足指の付根に、極めて良好に厚肉部を当接させることができる。
【０００９】
また、本発明の靴下は、爪先部が足指全体を覆う形状であることを特徴とする。この場合には、爪先部内側に５本の足指を挿入する空間を仕切る４つの隔壁が設けられ、前記空間に挿入される足指の付根に対応して厚肉部が設けられていると好ましい。この構成によれば、爪先部の内側に隔壁が設けられているため、隔壁間などの空間に足指が挿入された際に、厚肉部を有する爪先部が靴下の幅方向に対して良好に位置決めされ、各足指の付根に極めて良好に厚肉部を当接させることができる。
【００１０】
また、本発明の靴下は、前記厚肉部が、一体編成で厚みのある生地が編み込まれて形成されていることを特徴とする。
例えば、別体のものが挿入されて厚肉部が形成されていると、別体のものが生地からずれて、厚肉部が足指の付根にうまく当接しなくなる不具合を発生する恐れがあるが、本発明の構成によれば、前記厚肉部が、一体編成で厚みのある生地が編み込まれて形成されているので、このような不具合を発生することがなくなり、厚肉部が足指の付根に、より良好に接触することができる。
【００１１】
また、本発明の靴下は、前記厚肉部の厚み方向の中央部は、硬くて低伸縮性の生地で形成され、前記厚肉部の厚み方向の表面部は、柔らかくて前記低伸縮性の生地よりも伸縮性の大きな高伸縮性の生地で形成されていることを特徴とする。
【００１２】
この構成によれば、前記厚肉部の厚み方向の中央部が、硬くて低伸縮性の生地で形成されているので、厚肉形状を良好に維持することができる。また、前記厚肉部の厚み方向の表面部は、柔らかくて前記低伸縮性の生地よりも伸縮性の大きな高伸縮性の生地で形成されているので、足指の付根に接触する部分は弾力性を有する状態でやさしく接触し、良好な履き心地を与えることができる。
【００１３】
また、本発明の靴下は、足裏における土踏まずに対応する箇所にも厚肉部が設けられていることを特徴とする。
この構成によれば、足裏における土踏まずに対応する箇所に設けられた厚肉部により、足の土踏まずに対応する箇所も接地できることにより、足による接地面積をさらに増加することができて、足による踏ん張りを一層良好に行うことができる。
【発明の効果】
【００１４】
本発明によれば、足裏における足指付根に対応する箇所に厚肉部を設けることにより、足指の付根を含めて足指全体が接地して、足指によって良好に踏ん張ることができる。この結果、歩行時や走行時において、自然に姿勢が良好となって、体にかかる負担が軽減され、腰痛や肩こりなどを生じることを最小限に抑えることができる。
【００１５】
また、当該靴下が５本指靴下であり、この５本指靴下の指袋部の付根に対応して厚肉部が設けられていることにより、厚肉部が足指の付根からずれることを良好に防止できて、各足指の付根に、極めて良好に厚肉部を当接させることができ、足指による踏ん張りをさらに良好に行うことができて、歩行時や走行時において自然に姿勢が極めて良好となる。
【００１６】
また、靴下として、爪先部が足指全体を覆う形状としてもよく、この場合には、爪先部内側に５本の足指を挿入する空間を仕切る４つの隔壁を設け、前記空間に挿入される足指の付根に対応して厚肉部を設けることにより、厚肉部が足指の付根からずれることを良好に防止できて、各足指の付根に、極めて良好に厚肉部を当接させることができ、足指による踏ん張りをさらに良好に行うことができて、歩行時や走行時において自然に姿勢が極めて良好となる。
【００１７】
また、前記厚肉部を、一体編成で厚みのある生地を編み込んで形成することで、厚肉部が足指の付根にうまく当接しなくなる不具合を発生することを防止できて、厚肉部が足指の付根に、より良好に接触することができる。
【００１８】
また、前記厚肉部の厚み方向の中央部を、硬くて低伸縮性の生地で形成し、前記厚肉部の厚み方向の表面部は、柔らかくて前記低伸縮性の生地よりも伸縮性の大きな高伸縮性の生地で形成することにより、厚肉形状を良好に維持することができると同時に、足指の付根に接触する部分は弾力性を有する状態でやさしく接触し、良好な履き心地を与えることができる。
【００１９】
また、足裏における土踏まずに対応する箇所にも厚肉部を設けることにより、足の土踏まずに対応する箇所も接地できて、足による接地面積をさらに増加することができ、足による踏ん張りを一層良好に行うことができる。
【図面の簡単な説明】
【００２０】
【図１】本発明の実施の形態（第１の実施の形態）に係る靴下の底面図である。
【図２】同靴下を足に穿いた状態を簡略的に示す側面断面図である。
【図３】同靴下の厚肉部の拡大断面図である。
【図４】（ａ）〜（ｆ）はそれぞれ同靴下の編み工程を示す図である。
【図５】本発明の第２の実施の形態に係る靴下の底面図である。
【図６】同靴下を足に穿いた状態を簡略的に示す側面断面図である。
【図７】本発明の第３の実施の形態に係る靴下の底面図である。
【図８】本発明の第４の実施の形態に係る靴下の底面図である。
【図９】同靴下を足に穿いた状態を簡略的に示す正面断面図である。
【発明を実施するための形態】
【００２１】
以下、本発明を図面に基づき説明する。
図１、図２は、本発明の第１の実施の形態に係る靴下（５本指靴下）を示すものである。これらの図において、１は靴下本体部２の先端に５本指が個々に入る指袋部（爪先部の１例でもある）３を備えた靴下の１例としての５本指靴下であり、全体が横編により編成されている。そして特に本発明では、指袋部３の裏面における、足指の付根に対応する箇所に厚肉部４が設けられている。
【００２２】
詳しく説明すると、靴下本体部２は、人の足首より上の部分を覆う脚部５と、足の甲部を覆う甲部６と、足の底部を覆う足底部７と、踵を覆う踵部８とを有しており、これらが略筒状につなげられた形状とされている。そして、靴下本体部２の先端、すなわち、甲部６や足底部７の先端が各指袋部３に接続されているが、各指袋部３の足指付根の裏側（足裏における、指先に対応する爪先部と足底部７との間の部分でもある）に、クッション性を有する厚肉部４が設けられている。
【００２３】
また、図３に示すように、厚肉部４は、一体編成で厚みのある生地１２、１４が編み込まれて形成されている。ここで、厚肉部４は、柔らかくて伸縮性に富んだ弾性糸１１（図４参照）でニットされた（編み込まれた）２枚の生地１２の間に、硬くて伸縮性の少ない糸１３（図４参照）により編まれた生地１４を、タックを掛けて繋ぐことで編成されている。すなわち、厚肉部４の厚み方向の中央部は、硬くて低伸縮性の生地１４で形成され、厚肉部４の厚み方向の表面部は、柔らかくて前記低伸縮性の生地よりも伸縮性の大きな高伸縮性の生地１２で形成されている。
【００２４】
この一体編成で編み立てられた厚みがある生地の編み方の例としては、図４（ａ）〜（ｆ）に示す編み工程を繰り返すことで編成される。ここで、各工程を示す図４（ａ）〜（ｆ）のそれぞれにおいて、下側は横編み機における前ベッド側を示し、Ｆａ（Ｆａ１、Ｆａ２、Ｆａ３・・・）は前ベッドに設けられたフックを簡略的に示している。また、上側は横編み機における後ベッド側を示し、Ｆｂ（Ｆｂ１、Ｆｂ２、Ｆｂ３・・・）は後ベッドに設けられたフックを簡略的に示している。
【００２５】
図４（ａ）に示すように、伸縮性の少ない糸１３（以下、単に糸１３とも称す）は前ベッドのフックＦａと後ベッドのフックＦｂとにより交互に係止されながら走行される（例えば、図４（ａ）では糸１３が矢印で示すように右側に配設される）。これにより、伸縮性の少ない糸１３は、前ベッドのフックＦａと後ベッドのフックＦｂとにわたって架け渡された状態（図４（ａ）に示すように、図４（ａ）の紙面における上下方向に架け渡された状態）で配設される。
【００２６】
一方、糸１３が前ベッドのフックＦａと後ベッドのフックＦｂとにより交互に係糸（タック編み）されながら編成される時に、弾性糸１１は、前ベッドのフックＦａと後ベッドのフックＦｂとの内側に保持された状態（図４（ａ）〜（ｄ）に示す、細線で示された編目の状態）となる。
【００２７】
図４（ｂ）〜（ｄ）に示すように、次の工程で、糸１３は、係止されるフックＦａ、Ｆｂがずらされながら、図４（ａ）と同様に各フックＦａ、Ｆｂに係止され、糸１３は順次重ねられる。なお、各工程での糸１３や弾性糸１１の配設方向をそれぞれ矢印で示し、図４（ｂ）〜（ｄ）に示すように、糸１３は各工程で左右逆方向に走行される。
【００２８】
この後、図４（ｅ）、（ｆ）に示すように、左右に走行する弾性糸１１が、糸１３のフックＦａ、Ｆｂに係止されているタック部分に編み込まれて、各フックＦａ、Ｆｂに係止されていた各糸１３や弾性糸１１の部分同士が編み込まれて結ばれる。
【００２９】
以上の図４（ａ）〜（ｆ）に示される工程を繰り返すことにより、前ベッドと後ベッドとに跨るように形成されてなる硬くて伸縮性の少ない糸１３（図３参照）からなる生地１４が、前ベッドや後ベッドの長手方向に沿うように形成されてなる柔らかくて伸縮性に富んだ弾性糸１１からなる生地１２により、厚み方向に両側から挟まれた状態で繋がれ、これにより一体編成で厚みのある厚肉部４が良好に製造される。
【００３０】
上記構成によれば、本発明の靴下としての５本指靴下１の足裏における足指付根に対応する箇所に厚肉部４が設けられているので、この５本指靴下１を装着した状態で歩行したり走行したりする際に、足指の付根が厚肉部４を介して接地できる。これにより、足指全体で接地できて、足指によって良好に踏ん張ることができる。したがって、歩行時や走行時においても、体のバランスを良好に保つことができて姿勢が自然に良好となる。この結果、体にかかる負担が軽減され、腰痛や肩こりなどを生じることを最小限に抑えることができる。また、厚肉部４により、足指の付根を良好に刺激する効果や、保温性を向上させる効果も有する。
【００３１】
また、上記構成によれば、当該靴下が５本指靴下１であり、この５本指靴下１の指袋部３の付根に対応して厚肉部４が設けられているため、厚肉部４が足指の付根からずれることを防止しながら、各足指の付根に、極めて良好に厚肉部４を当接させることができる。したがって、足指による踏ん張りをさらに良好に行うことができて、歩行時や走行時において自然に姿勢が極めて良好となる。
【００３２】
また、上記構成によれば、厚肉部４が、一体編成で厚みのある生地１２、１４を編み込んで形成しているため、厚肉部４が足指の付根にうまく当接しなくなることを防止できて、厚肉部４が足指の付根に、より良好に接触することができる。つまり、例えば、別体のものが内部に挿入されるなどして厚肉部が形成されていると、別体のものが生地からずれて、厚肉部が足指の付根にうまく当接しなくなる不具合を発生する恐れがあるが、本発明の構成によれば、このような不具合を発生することがなくなり、厚肉部４が足指の付根に、より良好に接触することができ、良好な信頼性を得ることができる。ただし、これに限るものではなく、別体のものを内部に挿入するなどして厚肉部を構成してもよいが、この場合には、前記別体のものの位置がずれなくなるような工夫が必要となる。
【００３３】
また、上記構成によれば、厚肉部４の厚み方向の中央部が、硬くて低伸縮性の生地１４で形成されているので、厚肉形状を良好に維持することができる。また、厚肉部４の厚み方向の表面部は、柔らかくて伸縮性の大きな高伸縮性の生地１２で形成されているので、足指の付根に接触する部分は弾力性を有する状態でやさしく接触し、良好な履き心地を与えることができる。
【００３４】
次に、図５、図６は本発明の第２の実施の形態に係る靴下を示すものである。この実施の形態に係る靴下も５本指靴下１であり、指袋部３の裏面における、足指の付根に対応する箇所に厚肉部４が設けられているが、さらに、この５本指靴下１では、足裏における土踏まずに対応する箇所にも厚肉部（土踏まず厚肉部）２１が設けられている。
【００３５】
この構成によれば、足裏における土踏まずに対応する箇所に設けられた厚肉部（土踏まず厚肉部）２１により、図６に示すように、足の土踏まずに対応する箇所も接地できることになる。したがって、足による接地面積をさらに増加することができて、歩行時や走行時などにおいて足による踏ん張りを一層良好に行うことができる。
【００３６】
上記実施の形態では、靴下が何れも５本指靴下１である場合を述べたが、これに限るものではなく、図７に示すように、靴下１’の靴下本体部２に繋がる爪先部３１が、足指全体を覆う形状であってもよい（本発明の第３の実施の形態）。但し、この場合には、厚肉部４が、足指の付根に対応する箇所、すなわち、靴下１’の爪先部３１と足底部７との間の箇所に設けられるものの、靴下１’が足全体を包み込んでいるため、厚肉部４が、足の幅方向や前後方向にずれるおそれがある短所がある。
【００３７】
したがって、このように、爪先部３１が足指全体を覆う形状である場合には、図８、図９に示すように、爪先部３１の内側に５本の足指を挿入する空間を仕切る４つの隔壁２６を設け、前記空間に挿入される足指の付根に対応して厚肉部４を設けることが好適である。
【００３８】
この構成によれば、爪先部３１の内側に隔壁２６が設けられているため、隔壁２６間などの空間に足指が挿入された際に、厚肉部４を有する爪先部３１が靴下１の幅方向に対して良好に位置決めされ、各足指の付根に極めて良好に厚肉部４を当接させることができる。したがって、足指による踏ん張りをさらに良好に行うことができて、歩行時や走行時において自然に姿勢が極めて良好となる。
【００３９】
なお、図４では、本発明の靴下１、１’に係る編み方の１例を示したが、図４（ａ）〜（ｆ）に示す編み方（製造方法）に限るものではなく、その他の編み方を用いてもよいことはもちろんである。
【符号の説明】
【００４０】
１      ５本指靴下（靴下）
２      靴下本体部
３      指袋部（爪先部）
４      厚肉部
５      脚部
６      甲部
７      足底部
８      踵部
１１    弾性糸
１２    生地（弾性糸による生地）
１３    糸
１４    生地（糸による生地）
２１    土踏まず厚肉部（厚肉部）
２５    爪先部
２６    隔壁
Ｆａ、Ｆａ１〜Ｆａ７    前ベッドのフック
Ｆｂ、Ｆｂ１〜Ｆｂ７    後ベッドのフック
【図２】
2015212439.tif 000003
【図３】
2015212439.tif 000004
【図４】
2015212439.tif 000005
【図６】
2015212439.tif 000006
【図９】
2015212439.tif 000007
【図１】
2015212439.tif 000008
【図５】
2015212439.tif 000009
【図７】
2015212439.tif 000010
【図８】
2015212439.tif 000011
【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
足裏における足指付根に対応する箇所に厚肉部が設けられ、
前記厚肉部は、足指毎に互いに独立して離れた状態で個別に設けられている
ことを特徴とする靴下。
【請求項２】
足裏における足指付根に対応する箇所に厚肉部が設けられ、
前記厚肉部は、足指毎に個別に、足指の幅方向中央側が幅方向端部側より盛り上がった状態で形成されている
ことを特徴とする靴下。
【請求項３】
当該靴下が５本指靴下であり、この５本指靴下の指袋部の付根に対応して厚肉部が設けられていることを特徴とする請求項１または２に記載の靴下。
【手続補正２】
【補正対象書類名】明細書
【補正対象項目名】０００７
【補正方法】変更
【補正の内容】
【０００７】
上記課題を解決するために、本発明の靴下は、足裏における足指付根に対応する箇所に厚肉部が設けられ、前記厚肉部は、足指毎に互いに独立して離れた状態で個別に設けられていることを特徴とする。また、本発明の靴下は、足裏における足指付根に対応する箇所に厚肉部が設けられ、前記厚肉部は、足指毎に個別に、足指の幅方向中央側が幅方向端部側より盛り上がった状態で形成されていることを特徴とする。
この構成により、この靴下を装着した状態で歩行したり走行したりする際に、足指の付根が前記厚肉部を介して接地できる。これにより、足指全体が接地できて、足指によって良好に踏ん張ることができる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本発明によれば、足裏における足指付根に対応する箇所に厚肉部を設け、前記厚肉部を、足指毎に互いに独立して離れた状態で個別に設けたり、前記厚肉部を、足指毎に個別に、足指の幅方向中央側が幅方向端部側より盛り上がった状態で形成したりすることにより、足指の付根を含めて足指全体が接地して、足指によって良好に踏ん張ることができる。この結果、歩行時や走行時において、自然に姿勢が良好となって、体にかかる負担が軽減され、腰痛や肩こりなどを生じることを最小限に抑えることができる。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】